(57)【特許請求の範囲】
【請求項１】
多数の縦向きのスラットを屈曲自在に連結したシャッターが上部ガイドレールに吊装され下部ガイドレールにガイドされて横方向に走行する横移動式シャッター装置において、
下部ガイドレールが、シャッターの下部を嵌挿するガイド溝と、該ガイド溝の上面開口部を略水平に覆う閉位置と斜め上方に開く開位置とに枢動可能に取り付けられたガイド溝カバーと、該ガイド溝カバーと離間した上端面に形成された下レール部とを有しており、
シャッターが、該シャッターの先頭にシャッターに対して昇降可能な摺動子を設けており、
該摺動子に、摺動子の一側に軸支されて前記下レール部上を転動する回転子と、該回転子と対峙する前記摺動子の他側で固定されるフォークと、該フォークの下端に設けられて前記シャッターの先端より前方に突出する先端を有する爪部とを設けており、
該爪部の下端が前記回転子の下端より低位置で且つ回転子が下レール部上にあるとき前記ガイド溝カバーの下に入り込むことができる高さ位置に設定されており、
前記ローラは上部ガイドレールに吊装されるシャッターの高さ位置に連動せずに、摺動子を介して下レール上を転動することでフォークの爪部が前記ガイド溝カバーの下に入り込めることを特徴とする横移動式シャッター装置。
【請求項２】
ガイド溝カバーの裏面で基端側に沿ってヒンジシャフトが取り付けられており、
下部ガイドレールのガイド溝内で側壁に沿って受台を設け、
該受台の上部に前記ヒンジシャフトを着脱可能に嵌合して軸受けする湾曲面からなるシャフト受部が形成されていることを特徴とする請求項１に記載の横移動式シャッター装置。
【発明の詳細な説明】
【技術分野】
【０００１】
本発明は、上部ガイドレールに吊装された横移動式シャッターと下部ガイドレールとが平行に配置されない場合であっても、シャッターをスムーズに移動させて下部ガイドレールのガイド溝を開閉するガイド溝カバーを確実に開閉することができる横移動式シャッター装置に関する。
【０００２】
従来、例えば特開平１０−２３８２５９号には、床面上に設置する下部のガイドレール枠体のスライド自在のガイド溝ガイド溝カバーの両側もしくは一側に蝶番よりなる上部ヒンジ、枠体の下部にバネ付きの下部ヒンジを取付け、前記上下ヒンジの一方の揺動板を固定し、自在とした他方の揺動板を連結し上下揺動板をシャッターの走行に従動して開き、下部のバネ付き揺動板の弾性作用によりガイド溝カバーがガイド溝を閉鎖しガイド溝カバーが左右にスライド開閉する構成が開示されている。
【０００３】
しかし、この種の横移動式（横引）シャッターでは、水平面に設置された下部ガイドレール上を走行する構造であればよいが、床面に勾配がある場合には、シャッターの位置が相対的に上下にずれるので、シャッターの走行に従動させることができない場合を生じるという問題点があった。
【０００４】
また、シャッターの先頭位置に爪部を有するフォークを固定しておき、シャッターの走行によりガイド溝カバーを下から跳ね上げてガイド溝カバーを従動させる構成の場合にも、シャッターの位置が相対的に上下にずれるので、フォークの位置も相対的にずれて、ガイド溝カバーを跳ね上げることができない場合を生じるという問題点があった。
そのため、床面に勾配がある場合には下部のガイドレールを水平な基準面に設定する必要があった。
【０００５】
また、特開平８−１３５３４８号のようにガイド溝カバーを枢動して跳ね上げる構成の場合に、各部品を分解する必要があるので、ガイド溝カバーを交換や変更するには手間がかかる作業となっていた。
【特許文献１】特開平１０−２３８２５９号
【特許文献２】特開平  ８−１３５３４８号
【発明の開示】
【発明が解決しようとする課題】
【０００６】
本発明は、上記問題的を解決するために創案されたものであって、その主たる課題は、勾配のある床面に下部ガイドレールを設置する場合に、シャッターに取り付けたフォークの位置を下部ガイドレールの勾配に合わせて相対的に昇降変位させて、常にガイド溝カバーを跳ね上げることができるようにした横移動式シャッター装置を提供することにある。
この発明の別の課題は、ヒンジシャフトを用いてガイド溝カバーの着脱を容易にした横移動式シャッター装置を提供することにある。
【課題を解決するための手段】
【０００７】
本発明は、上記課題を達成するために、請求項１の発明では、
多数の縦向きのスラットを屈曲自在に連結したシャッターが上部ガイドレールに吊装され下部ガイドレールにガイドされて横方向に走行する横移動式シャッター装置において、
下部ガイドレールが、シャッターの下部を嵌挿するガイド溝と、該ガイド溝の上面開口部を略水平に覆う閉位置と斜め上方に開く開位置とに枢動可能に取り付けられたガイド溝カバーと、該ガイド溝カバーと離間した上端面に形成された下レール部とを有しており、
シャッターが、該シャッターの先頭にシャッターに対して昇降可能な摺動子を設けており、
該摺動子に、摺動子の一側に軸支されて前記下レール部上を転動する回転子と、該回転子と対峙する前記摺動子の他側で固定されるフォークと、該フォークの下端に設けられて前記シャッターの先端より前方に突出する先端を有する爪部とを設けており、
該爪部の下端が前記回転子の下端より低位置で且つ回転子が下レール部上にあるとき前記ガイド溝カバーの下に入り込むことができる高さ位置に設定されており、
前記ローラは上部ガイドレールに吊装されるシャッターの高さ位置に連動せずに、摺動子を介して下レール上を転動することでフォークの爪部が前記ガイド溝カバーの下に入り込めることを特徴とする。
【０００８】
また、請求項２の発明では、
前記ガイド溝カバーの裏面で基端側に沿ってヒンジシャフトが取り付けられており、
下部ガイドレールのガイド溝内で側壁に沿って受台を設け、
該受台の上部に前記ヒンジシャフトを着脱可能に嵌合して軸受けする湾曲面からなるシャフト受部が形成されていることを特徴とする。
【発明の効果】
【０００９】
この発明では、排水等の関係から構造上床面を水平にできない場所など、下部ガイドレールに対してシャッターが相対的に上下にずれて走行する場合であっても、フォークの位置を下部ガイドレールの高さに倣って上下に変位させることができるので、下部ガイドレールに設けたガイド溝カバーに対してフォーク先端の位置を常に一定に維持して、確実にガイド溝カバーを跳ね上げながらスムーズに走行することができる。
これにより、前記シャッターが開いて収納されると、ガイド溝カバーは、下部ガイドレールの上部開口を遮蔽して床面の段差を解消し、シャッターが閉じると、前記ガイド溝カバーはシャッター下部と床面との隙間を塞いで、確実に防煙、防火および防塵の効果を奏することができる。
【００１０】
また、この発明では、下部ガイドレール側にシャフト受部を設け、ガイド溝カバーの基端側に取り付けたヒンジシャフトを着脱可能に嵌合して軸受けするので、ガイド溝カバーはワンタッチで着脱でき、ガイドレールの掃除や、ガイドレールとガイド溝カバーの補修作業等が容易になる。
さらに、１本のヒンジシャフトを採用することにより、下部ガイドレールにかかる上からの荷重を分散でき、下部ガイドレールの枠体の歪みを最小限に抑えることができる。
【発明を実施するための最良の形態】
【００１１】
以下にこの発明の横移動式シャッター装置を地下鉄構内における電動式の防煙防火用横引きシャッター装置に適用した好適実施例について図面を参照しながら説明する。
【実施例１】
【００１２】
［横引きシャッター装置］
横引きシャッター装置は、図９に概略を示すように、天井面に固定された上部ガイドレール３０と、該上部ガイドレール３０に対向して床面に固定された下部ガイドレール１０と、上部ガイドレール３０および下部ガイドレール１０にガイドされて横方向に走行するシャッター１とからなっており、電動モータによって駆動するスプロケットなどの伝動装置（図示せず）を介して、矢印で例示するシャッター１が閉じる方向に前進し、逆の開く（収納される）方向に後退する構成となっている。
【００１３】
［下部ガイドレール］
下部ガイドレール１０は、図１に示すように、床面上に形成され、または床面内に埋設されて上部が床面とほぼ同一面に設定されている。
この下部ガイドレール１０は、一対の側壁間に前記シャッター１の下部を嵌挿するガイド溝１１を有している。
【００１４】
［ガイド溝］
該ガイド溝１１には、ガイド溝１１の長手方向に多数分割されて上面開口部を覆って塞ぐガイド溝カバー２０が開閉可能に設けられており、該ガイド溝カバー２０はガイド溝１１内の一側（本実施例ではシャッターの外側）でヒンジシャフト２２を介して枢着されている。
また、ガイド溝１１の他側（本実施例ではシャッターの内側）となる側壁１０Ａ上にはガイド溝カバー２０と分離した位置に、後述の回転子を転動させるための下レール部１２が形成されている。
【００１５】
［ガイド溝カバー］
本実施例でガイド溝カバー２０は、図３に示すように、その幅方向の辺が、平面から見て、ガイド溝カバー２０の枢着側から直交方向に延びてからシャッター１の内側に向かって徐々に前方に傾斜する斜辺２０ａを有している。
これは後述のフォークによってガイド溝カバー２０を跳ね上げやすくするためである。
【００１６】
［ヒンジシャフト］
本実施例の場合、このガイド溝カバー２０の裏面には、基端２１側に沿ってガイド溝カバー２０とほぼ同じ長さに設定された柱状または筒状のヒンジシャフト２２が一体に固着されている。
このヒンジシャフト２２は大径の本体部を有し両端には同軸上に設けた小径軸部２２ａが突出している。
【００１７】
［シャフト受部］
一方、下部ガイドレール１０のガイド溝１１内には、外面寄りの側壁１０Ｂに沿って受台２５が固定されており、該受台２５の上部に前記ヒンジシャフト２２を着脱可能に嵌合して軸受けする断面円弧状のシャフト受部２６が形成されている。
シャフト受部２６は、前記ヒンジシャフト２２の本体部の下方を軸受するシャフト本体受部と、その両端で、前記小径軸部２２ａの両側方を軸受する小径軸受部２６ａとを有している。
【００１８】
そして、ヒンジシャフト２２の上方を拘束するために、前記小径軸受部２６ａに軸受された小径軸部２２ａの上部を拘束し、受台２５との間で掛止められるように、別体からなる略アングル状のカバー片２３が着脱可能に嵌め込まれている。
上記構成からなっているので、ヒンジシャフト２２をシャフト受部２６に嵌め込んで該ヒンジシャフト２２を支点として、前記ガイド溝カバー２０を図２で一点鎖線で示す水平位置でガイド溝１１を塞ぐ閉位置と、上向きに立ち上げる開位置とに枢動変位することができる。
なお、下部ガイドレール１０の内側となる側壁１０Ａの内側には、上記ガイド溝カバー２０の先端を水平の閉位置で支持するストッパ面部１３が形成されている。
【００１９】
従って、ガイド溝カバー２０を図２の点線で示す垂直姿勢に開くと、前記カバー片２３と重ならない位置まで変位するので、カバー片２３を外して、ガイド溝カバー２０を受台２５から取り外すことができる。
上記実施例では、ガイド溝カバー２０にヒンジシャフト２２を一体に固着した場合を例示したが、ヒンジシャフト２２はガイド溝カバー２０に着脱可能に連結する構成であってもよい。
【００２０】
［シャッター］
次ぎに、シャッター１は、スラット２を屈曲自在に連結した公知の構成からなっている。
このシャッター１の下部には、図１に示すように、下方に伸びる杆材３が等間隔で固着されており、各杆材３の先端には横向きに回転する補助ローラ４が取り付けられている。
この補助ローラ４は、下部ガイドレール１０の内側の側壁面１０Ａと中途位置に設けたガイド壁１０Ｃの間でガイドされて、シャッターの下端の位置を規制しながらシャッター１の横方向の走行をガイドしている。
【００２１】
［スライダー片］
次に、このシャッター１の先頭のスラット２の下方には、該スラット２に対して上下に摺動可能に取り付けられた摺動子としてのスライダー片（本実施例ではスライダー第１片５ａおよびスライダー第２片５ｂ）が取り付けられている。
即ち、シャッター１の先頭は、先頭のスラット２と、該スラット２の後方の接続部２ａのみを突出し他は内蔵する断面ボックス状の筐体６とからなっている。
【００２２】
この筐体６は図３、図６〜８、図１０〜１１に示すように、内壁面となる断面チャンネル状の第１筐体６ａと、スラット２の内側に隙間無く嵌合する断面アングル状の第２筐体６ｂと、スラット２の外側に隙間無く外嵌して前記第１筐体６ａと先端で重なり外壁面となる断面アングル状の第３筐体６ｃとからなっている。
【００２３】
そして、前記第２筐体６ｂとスラット２と第３筐体６ｃには、図１０〜１１に示すように所定のストロークで上下に延びる長孔１５を構成する孔部１５ｂ、１５ａ、１５ｃ、１５ｄが穿設されており、該長孔１５には、横幅が長孔１５の横幅より僅かに短く、長孔１５内を所定のストロークの範囲で上下にスライドできる長さに設定されたスライダー第１片５ａが嵌合される。
【００２４】
このスライダー第１片５ａの内側には補強用のスライダー第２片５ｂがボルト等によりスライダー第１片５ａと一体となっており、該スライダー第２片５ｂは前記第２筐体６ｂの内壁面に沿って上下に摺動する。
【００２５】
［ローラ］
そして、このスライダー第２片５ｂの下部には、車軸となるガイドネジ８を介してローラ９が回転可能に取り付けられている
このローラ９のトレッド面は、筐体６の内側の壁面に沿って配置されており、筐体６の下部はガイド溝１１内に嵌挿されるがローラ２のトレッド面は前記下レール部１２上に載置されてガイドされる。
そして、ローラ９の昇降が支障とならないように、第１筐体６ａの下方にはローラ９摺動用の長穴１６が穿設されている（図１０〜１１参照）。
【００２６】
［フォーク］
一方、スライダー第１片５ａの外側には、第３筐体６ｃの外面に沿って摺動可能にフォーク７が配置されており、該フォーク７は前記スライダー第２片５ｂおよびスライダー第１片５ａを貫通するボルトＢ１、Ｂ２によって一体に固定されている。
【００２７】
フォーク７は、水平に延びる底辺７ａと、該底辺７ａの先端から徐々に後方に向かって上向きに傾斜する傾斜辺７ｂを有する爪部７Ａと、前記スライダー片５に固定するための取付片部７Ｂとからなっている。
そして、フォーク７の底辺７ａは、前記ローラ９の下端より低位置で、前記ガイド溝カバー２０より低くガイド溝カバー２０の下に入り込むことができる位置に配置され、爪部７Ａは先頭のスラット２より前方へ突出するように設定されている。
【００２８】
上記構成からなっているので、シャッター１が駆動装置（図示せず）によって上下のガイドレールに沿って前進すると、フォーク７の爪部７Ａは、ガイド溝カバー２０の下に入って爪部７Ａの傾斜辺７ｂに沿ってガイド溝カバー２０を徐々に上向きに開き、ガイド溝カバー２０の開いた先端がスラット２の外面に接する位置まで跳ね上げる。
そして、天井面に取り付けた上部ガイドレール３０または床面に取り付けた下部ガイドレール１０が勾配を有する場合に、シャッター１は下部ガイドレール１０に対して相対的に上または下方向にずれながら進行する。
【００２９】
しかし、シャッター１に設けられたローラ９およびフォーク７は、シャッター１の位置と一体になることなく、下部ガイドレール１０に形成された下レール部１２の上面の位置に倣ってシャッター１に対して上下に摺動しながら移動することができるので、下部ガイドレール１０に取り付けられたガイド溝カバー２０に対して常に一定の位置関係を保つことができる。
これにより、シャッター１を下部ガイドレール１０に沿ってスムーズに前進させることができる。
【００３０】
シャッター１を後退させる場合には、シャッター１の退動で、スラット２に先端が接していたガイド溝カバー２０は、順次、自重によってフォーク７の爪部７Ａの傾斜辺７ｂにガイドされながら閉方向に下降して水平姿勢となり、爪部７Ａが抜けることにより先端がストッパ面部１３と衝合する水平姿勢となり、ガイド溝１１を塞ぐ閉位置となる。
この場合も、ローラ９およびフォーク７は、下部ガイドレール１０に形成された下レール部１２の上面の位置に倣ってシャッター１に対して上下に摺動しながら後退するので、フォーク７の爪部７Ａの位置は、確実にガイド溝カバー２０を閉方向にガイドすることができる。
【００３１】
この発明は上記実施例に限定されるものではなく、要するに、この発明の要旨を変更しない範囲で種々設計変更しうること勿論である。
【図面の簡単な説明】
【００３２】
【図１】横引きシャッター装置の要部を示す断面図である。
【図２】ガイド溝カバーの取付構造を示す説明図である。
【図３】同平面から見た断面図である。
【図４】下部ガイドレールの勾配が上の状態のフォークとローラとガイド溝カバーとの位置関係を示す側面図である。
【図５】下部ガイドレールの勾配が下の状態の側面図である。
【図６】図４のａ−ａ断面図である。
【図７】図４のｂ−ｂ断面図である。
【図８】図４のｃ−ｃ断面図である。
【図９】下部ガイドレールが勾配を有する場合のシャッターの先頭の状態を説明する図である。
【図１０】シャッターの先頭の筐体の構成部品を平面から見た構成図である。
【図１１】同側面から見た構成図である。
【符号の説明】
【００３３】
１    シャッター
２    スラット
３    杆材
４    補助ローラ
５    スライダー片
６    筐体
７    フォーク
８    ガイドネジ
９    ローラ
１０    下部ガイドレール
１０Ａ  内側の側壁
１０Ｂ  外側の側壁
１１    ガイド溝
１２    下レール部
１３    ストッパ面部
１５    長孔  
２０    ガイド溝カバー
２２    ヒンジシャフト
２３    カバー片
２５    受台
２６    シャフト受部
３０    上部ガイドレール
【図１】
0004410750.tif 000002
【図２】
0004410750.tif 000003
【図３】
0004410750.tif 000004
【図４】
0004410750.tif 000005
【図５】
0004410750.tif 000006
【図６】
0004410750.tif 000007
【図７】
0004410750.tif 000008
【図８】
0004410750.tif 000009
【図９】
0004410750.tif 000010
【図１０】
0004410750.tif 000011
【図１１】
0004410750.tif 000012